(57)【要約】【課題】遊技媒体の貸出時に徴収される消費税についての情報を遊技客に対して適正に報知すること。【解決手段】遊技客が玉貸ボタンを操作したならば、台間カード処理機１０は、プリペイド価値を所定度数減算し、遊技玉を払い出す貸出処理を行なう。この時、プリペイド価値を消費税分多く減算する、若しくは払い出す遊技玉を消費税分少なくする等により消費税を徴収する。そして、表示操作部１３に対し、どのように消費税を徴収したかを表示することで、遊技客に対する報知を行なう。【選択図】図１
2014158533.tif 000002
【特許請求の範囲】
【請求項１】
遊技機による遊技に使用される遊技媒体に関する遊技媒体情報を取り扱う遊技媒体処理装置であって、
遊技客に対する表示を行なう表示手段と、
前記遊技媒体の貸出に際して徴収した消費税相当分の金額又は遊技媒体数と、前記消費税相当分を除外した遊技媒体価値とのうち、少なくとも一方を前記表示手段に表示制御する表示制御手段と
を備えたことを特徴とする遊技媒体処理装置。
【請求項２】
前記遊技機に隣接して設置され、前記遊技媒体の貸出処理を行なう貸出処理部をさらに備えたことを特徴とする請求項１に記載の遊技媒体処理装置。
【請求項３】
前記表示制御手段は、前記貸出処理により前記遊技媒体が所定数払い出されるごとに、該貸出処理に際して徴収した消費税相当分の金額又は遊技媒体数と、前記消費税相当分を除外した遊技媒体価値とのうち、少なくとも一方を前記表示手段に表示制御することを特徴とする請求項２に記載の遊技媒体処理装置。
【請求項４】
前記表示制御手段は、前記貸出処理が終了するごとに、該貸出処理に際して徴収した消費税相当分の金額又は遊技媒体数と、前記消費税相当分を除外した遊技媒体価値とのうち、少なくとも一方を前記表示手段に表示制御することを特徴とする請求項２に記載の遊技媒体処理装置。
【請求項５】
前記表示制御手段は、前記遊技媒体情報を関連付けた記憶媒体を排出制御する場合に、前記記憶媒体を受け付け中に行なった貸出処理について、該貸出処理に際して徴収した消費税相当分の金額又は遊技媒体数と、前記消費税相当分を除外した遊技媒体価値とのうち、少なくとも一方を前記表示手段に表示制御することを特徴とする請求項２に記載の遊技媒体処理装置。
【請求項６】
前記表示制御手段は、前記遊技媒体の貸出処理に際して徴収した消費税相当分の金額又は遊技媒体数と、前記消費税相当分を除外した遊技媒体価値とのうち、少なくとも一方を前記表示手段に表示制御する際に、表示内容を他の表示と異なる表示態様にて表示制御することを特徴とする請求項２〜５のいずれか一つに記載の遊技媒体処理装置。
【請求項７】
前記遊技媒体情報に基づいて、景品との交換を行なう景品交換手段をさらに備えたことを特徴とする請求項１に記載の遊技媒体処理装置。
【請求項８】
前記遊技媒体の貸出に際して徴収した消費税相当分の金額又は遊技媒体数と、前記消費税相当分を除外した遊技媒体価値とのうち、少なくとも一方を履歴情報として管理する管理手段をさらに備え、
前記表示制御手段は、前記履歴情報を前記表示手段に表示制御する
ことを特徴とする請求項１〜７のいずれか一つに記載の遊技媒体処理装置。
【請求項９】
前記表示制御手段は、前記消費税相当分の金額又は遊技媒体数の負担者をさらに表示制御することを特徴とする請求項１〜８のいずれか一つに記載の遊技媒体処理装置。
【請求項１０】
遊技機による遊技に使用される遊技媒体に関する遊技媒体情報を取り扱う遊技媒体処理方法であって、
前記遊技媒体の貸出時に消費税相当分の金額又は遊技媒体数を徴収する徴収ステップと、
前記遊技媒体の貸出に際して徴収した消費税相当分の金額又は遊技媒体数と、前記消費税相当分を除外した遊技媒体価値とのうち、少なくとも一方を遊技客に対して表示制御する表示制御ステップと
を含んだことを特徴とする遊技媒体処理方法。
【発明の詳細な説明】
【技術分野】
【０００１】
この発明は、遊技機による遊技に使用される遊技媒体に関する遊技媒体情報を取り扱う遊技媒体処理装置及び遊技媒体処理方法に関する。
【背景技術】
【０００２】
従来、パチンコ店等の遊技店では、所定の対価と引き換えに遊技媒体の貸出を行っており、遊技客は貸し出された遊技媒体を遊技機に投入して遊技を行なっていた。また、遊技媒体の貸出を行なう装置は遊技機に併設して設けられ、遊技客が適宜遊技媒体の貸出を受けることができるようになっている。
【０００３】
例えば、特許文献１は、記録媒体に関連付けられた有価価値（例えば、貨幣の金額または金額に相当する価値を示すプリペイド価値データ）に基づいて遊技媒体を貸し出すカード処理ユニットを開示している。また、特許文献２は、遊技客によって投入された紙幣を受け入れた際に、該紙幣の金額に相当するプリペイド価値を装置内のカードに関連付け、遊技媒体の貸出要求を受け付けたならば、プリペイド価値を減算して所定数の遊技媒体を遊技機の受け皿に投出するカード処理ユニットを開示している。
【０００４】
ここで、消費税については、遊技媒体の貸出時に徴収すべきであるが、遊技媒体の貸出時に減算するプリペイド価値と、貸し出される遊技媒体の数との関係を遊技客にとって分かりやすくすることを優先し、遊技店側が負担することが一般的であった。
【先行技術文献】
【特許文献】
【０００５】
【特許文献１】特開２００４−２２２９７９号公報
【特許文献２】特開２０００−１４０３９４号公報
【発明の概要】
【発明が解決しようとする課題】
【０００６】
しかしながら、消費税率が変動する可能性をも考慮したならば、常に消費税分を遊技店側で負担することは合理的ではなく、消費税を遊技媒体の貸出時に徴収するとともに、かかる消費税の徴収状況を遊技客に明示することが求められる。
【０００７】
また、消費税の一部を遊技店が負担する場合や、特定の状況下で消費税を変更する場合など、消費税の負担が店や時期によって異なったならば、遊技客の混乱を防ぐため、消費税の徴収状況を遊技客に明示することはさらに重要な課題となる。
【０００８】
また、遊技により獲得した遊技媒体を景品に交換する場合には、消費税相当分を除いた遊技媒体の価値を基準として交換が行なわれるため、景品交換時にも遊技客に対して消費税に関する情報を報知することが求められる。
【０００９】
本発明は、上記従来技術の課題を解決するためになされたものであって、遊技媒体の貸出時に徴収される消費税についての情報を遊技客に対して適正に報知することのできる遊技媒体処理装置及び遊技媒体処理方法を提供することを目的とする。
【課題を解決するための手段】
【００１０】
上述した課題を解決し、目的を達成するため、本発明は、遊技機による遊技に使用される遊技媒体に関する遊技媒体情報を取り扱う遊技媒体処理装置であって、遊技客に対する表示を行なう表示手段と、前記遊技媒体の貸出に際して徴収した消費税相当分の金額又は遊技媒体数と、前記消費税相当分を除外した遊技媒体価値とのうち、少なくとも一方を前記表示手段に表示制御する表示制御手段とを備えたことを特徴とする。
【００１１】
また、本発明は、上記発明において、前記遊技機に隣接して設置され、前記遊技媒体の貸出処理を行なう貸出処理部をさらに備えたことを特徴とする。
【００１２】
また、本発明は、上記発明において、前記表示制御手段は、前記貸出処理により前記遊技媒体が所定数払い出されるごとに、該貸出処理に際して徴収した消費税相当分の金額又は遊技媒体数と、前記消費税相当分を除外した遊技媒体価値とのうち、少なくとも一方を前記表示手段に表示制御することを特徴とする。
【００１３】
また、本発明は、上記発明において、前記表示制御手段は、前記貸出処理が終了するごとに、該貸出処理に際して徴収した消費税相当分の金額又は遊技媒体数と、前記消費税相当分を除外した遊技媒体価値とのうち、少なくとも一方を前記表示手段に表示制御することを特徴とする。
【００１４】
また、本発明は、上記発明において、前記表示制御手段は、前記遊技媒体情報を関連付けた記憶媒体を排出制御する場合に、前記記憶媒体を受け付け中に行なった貸出処理について、該貸出処理に際して徴収した消費税相当分の金額又は遊技媒体数と、前記消費税相当分を除外した遊技媒体価値とのうち、少なくとも一方を前記表示手段に表示制御することを特徴とする。
【００１５】
また、本発明は、上記発明において、前記表示制御手段は、前記遊技媒体の貸出処理に際して徴収した消費税相当分の金額又は遊技媒体数と、前記消費税相当分を除外した遊技媒体価値とのうち、少なくとも一方を前記表示手段に表示制御する際に、表示内容を他の表示と異なる表示態様にて表示制御することを特徴とする。
【００１６】
また、本発明は、上記発明において、前記遊技媒体情報に基づいて、景品との交換を行なう景品交換手段をさらに備えたことを特徴とする。
【００１７】
また、本発明は、上記発明において、前記遊技媒体の貸出に際して徴収した消費税相当分の金額又は遊技媒体数と、前記消費税相当分を除外した遊技媒体価値とのうち、少なくとも一方を履歴情報として管理する管理手段をさらに備え、前記表示制御手段は、前記履歴情報を前記表示手段に表示制御することを特徴とする。
【００１８】
また、本発明は、上記発明において、前記表示制御手段は、前記消費税相当分の金額又は遊技媒体数の負担者をさらに表示制御することを特徴とする。
【００１９】
また、本発明は、遊技機による遊技に使用される遊技媒体に関する遊技媒体情報を取り扱う遊技媒体処理方法であって、前記遊技媒体の貸出時に消費税相当分の金額又は遊技媒体数を徴収する徴収ステップと、前記遊技媒体の貸出に際して徴収した消費税相当分の金額又は遊技媒体数と、前記消費税相当分を除外した遊技媒体価値とのうち、少なくとも一方を遊技客に対して表示制御する表示制御ステップとを含んだことを特徴とする。
【発明の効果】
【００２０】
本発明によれば、遊技媒体の貸出に際して徴収した消費税相当分の金額又は遊技媒体数と、消費税相当分を除外した遊技媒体価値とのうち、少なくとも一方を表示手段に表示制御するよう構成したので、遊技媒体の貸出時に徴収される消費税についての情報を遊技客に対して適正に報知することができる。
【図面の簡単な説明】
【００２１】
【図１】図１は、実施例１に係る遊技玉の貸出処理を説明するための説明図である。
【図２】図２は、遊技店のシステム構成を示す図である。
【図３】図３は、図２に示した台間カード処理機の外観構成を示す図である。
【図４】図４は、図２に示した台間カード処理機の内部構成を示すブロック図である。
【図５】図５は、図４に示した記憶部の記憶内容を説明するための説明図である。
【図６】図６は、台間カード処理機による玉貸しにかかる処理動作を示すフローチャートである。
【図７】図７は、表示タイミングが「貸出中」である場合の表示について説明するための説明図である。
【図８】図８は、表示タイミングが「貸出後」である場合の表示について説明するための説明図である。
【図９】図９は、表示タイミングが「カード排出時」である場合の表示について説明するための説明図である。
【図１０】図１０は、図２に示したカード管理装置の内部構成を示すブロック図である。
【図１１】図１１は、カード管理装置の記憶部が記憶するデータを説明するための説明図である。
【図１２】図１２は、実施例２にかかる景品管理装置の外観構成を示す図である。
【図１３】図１３は、図１２に示した景品管理装置の内部構成を示すブロック図である。
【図１４】図１４は、記憶部が記憶するデータを説明するための説明図である。
【図１５】図１５は、景品交換時の客側表示部への表示について説明するための説明図である。
【図１６】図１６は、持玉を分割する機能を備えた台間カード処理機の構成図である。
【図１７】図１７は、台間カード処理機による持玉の分割について説明するための説明図である。
【図１８】図１８は、図１６に示した台間カード処理機による持玉分割にかかる処理動作を示すフローチャートである。
【発明を実施するための形態】
【００２２】
以下に、添付図面を参照して、本発明に係る遊技媒体処理装置及び遊技媒体処理方法の好適な実施例を詳細に説明する。
【００２３】
本明細書中にあって持玉とは、遊技客が遊技において獲得した遊技媒体又は当該遊技媒体数を示すデータであって、その当日中（閉店より前の時間）のみ遊技に再度供することができるものを言う。貯玉とは、遊技客が遊技において獲得した遊技媒体又は当該遊技媒体数を示すデータであって、翌日以降（閉店より後の時間）も遊技に再度供することができるものを言う。持玉は、一般遊技客および会員遊技客の双方が使用可能であり、遊技台を移動した場合などに使用する。貯玉は通常、会員遊技客のみが使用可能であり、獲得した遊技媒体を翌日以降の遊技に用いる場合に使用する。貯玉の使用には所定の手数料を課すこととしてもよい。
【実施例１】
【００２４】
まず、実施例１に係る遊技玉の貸出処理について説明する。図１は、実施例１に係る遊技玉の貸出処理を説明するための説明図である。図１に示すように、遊技機２０には、台間カード処理機１０が併設される。
【００２５】
図１（ａ）に示すように、台間カード処理機１０の表示操作部１３には、遊技玉の貸出単価が１玉４円であることと、プリペイド価値が１０００度数分残っていることと、持玉がゼロであることが表示されている。ここで、プリペイド価値は、１度数が１円に相当する。また、表示操作部１３には、遊技玉の貸出操作を受け付けるための玉貸ボタンが表示されている。
【００２６】
遊技客が玉貸ボタンを操作したならば、台間カード処理機１０は、図１（ｂ）に示すように、プリペイド価値を５２５円分、すなわち５２５度数減算する。そして、５２５度数のうち、２５度数を消費税とし、５００度数分の遊技玉を払い出す。貸出単価は１玉４円であるので、５００度数は１２５玉に相当する。そして、表示操作部１３に「払出  ５２５円  消費税として２５円を徴収しました」と表示することで、遊技客に対して消費税の徴収について報知する。なお、図１（ｂ）では台間カード処理機１０から遊技玉を払い出す場合を示したが、遊技機２０に対して遊技玉の払い出しを指示するようにしてもよい。
【００２７】
このように、遊技玉の貸出処理を行なう場合に消費税についての報知を行なうことにより、遊技客は貸出によりどれだけの消費税がどのように徴収されたかを確認することができる。
【００２８】
次に、遊技店のシステム構成について説明する。図２は、遊技店のシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００２９】
遊技機２０は、遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技領域には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域があってもよい。
【００３０】
上記入賞領域には、当該入賞領域への遊技玉の通過を検出するために入賞センサが設けられており、入賞センサにより入賞領域へ打ち込まれた遊技玉の通過（入賞）を検知するようになっている。また、遊技機の制御装置は、入賞領域ごとに何個の遊技玉を賞玉として付与するかを記憶する賞玉メモリを有している。
【００３１】
したがって、打ち込んだ遊技玉の特定の入賞領域への通過が入賞センサにより検知されると、賞玉メモリの記憶内容と、入賞領域を通過した遊技玉数から付与すべき賞玉数を決定し、決定した賞玉数の遊技玉が払い出される。
【００３２】
台間カード処理機１０は、入金の受付、遊技玉の貸し出し並びにカード管理装置４０との通信を行う。台間カード処理機１０は、遊技客が投入した紙幣を受け付けたならば、入金額を含む入金通知をカード管理装置４０に送信することで、プリペイド価値をカード管理装置４０が管理するプリペイド価値に加算させる。そして、所定の玉貸し操作がなされたならば、玉貸要求をカード管理装置４０に送信し、カード管理装置４０が管理するプリペイド価値を減算させて、減算したプリペイド価値分に対応する数の遊技玉を払い出す。
【００３３】
また、台間カード処理機１０は、カードの挿入を受け付けたならば、カード管理装置４０にカード挿入通知を送信する。また、台間カード処理機１０は、カード管理装置４０からプリペイド価値、持玉又は貯玉の残高を受信した場合には、該残高を記憶する。そして、持玉の残高を受信し、記憶した場合には、カード管理装置４０に対して持玉減算要求を送信することで、カード管理装置４０が管理する持玉の残高をゼロにクリアする。
【００３４】
また、台間カード処理機１０は、持玉再プレイ操作を受け付けると、自装置が管理する持玉数を所定数減算し、減算した持玉数に対応する数の遊技玉を払い出す。また、台間カード処理機１０は、貯玉再プレイ操作を受け付けると、カード管理装置４０に対して貯玉再プレイ要求を送信することで、会員管理装置５０が管理する貯玉数を所定数減算させ、減算させた貯玉数に対応する数の遊技玉を払い出す。
【００３５】
台間カード処理機１０は、カード返却操作を受け付けたならば、自装置が管理する持玉数を含む持玉加算要求をカード管理装置４０に送信し、カード管理装置４０に持玉を加算させた後、カード排出通知をカード管理装置４０に送信し、カードを排出制御する。
【００３６】
島コントローラ３０は、遊技島に設けられた一群の遊技機２０及び台間カード処理機１０を束ねる中継装置である。カード管理装置４０は、カードのプリペイド価値及び持玉数等をカードデータとして管理する管理装置である。
【００３７】
カード管理装置４０は、台間カード処理機１０からカード挿入通知を受信したならば、挿入されたカードのＩＤと台間カード処理機１０とを関連づけて管理し、該カードＩＤに関連づけられたプリペイド価値及び持玉の残高を台間カード処理機１０に送信する。また、カード挿入通知に示されたカードＩＤが会員カードのカードＩＤである場合には、カード挿入通知を会員管理装置５０に送信し、会員管理装置５０から受信した貯玉再プレイデータを台間カード処理機１０に送信する。
【００３８】
また、カード管理装置４０は、台間カード処理機１０から持玉減算要求を受信した場合には、持玉口座の残高をゼロにクリアし、台間カード処理機１０から持玉加算要求を受信した場合には、持玉加算要求に示された持玉数を持玉口座に加算する。
【００３９】
また、カード管理装置４０は、台間カード処理機１０から玉貸要求を受信した場合には、対応するプリペイド価値を所定値減算し、玉貸許可を台間カード処理機１０に送信する。そして、貯玉再プレイ要求を受信した場合には、該貯玉再プレイ要求を会員管理装置５０に送信し、会員管理装置５０が貯玉再プレイデータを出力した場合には、貯玉再プレイデータを台間カード処理機１０に送信する。
【００４０】
また、カード管理装置４０は、景品管理装置６０からカードＩＤを受信したならば、このカードＩＤに関連付けられた持玉数を景品管理装置６０に対して通知する。さらに、精算機８０からカードＩＤを受信したならば、このカードＩＤに関連付けられたプリペイド価値を精算機８０に対して通知する。
【００４１】
会員管理装置５０は、遊技店に会員登録された会員の会員管理データを管理する管理装置である。具体的には、会員に対して発行した会員カードＩＤに関連づけて、貯玉数、ポイント、暗証番号及び氏名等を管理する。
【００４２】
会員管理装置５０は、台間カード処理機１０からカード挿入通知を受信したならば、カード挿入通知に示されたカードＩＤに対応する貯玉口座の残高と再プレイ可能回数と暗証番号とを含む貯玉再プレイデータを台間カード処理機１０に送信する。また、会員管理装置５０は、台間カード処理機１０から貯玉再プレイ要求を受信したならば、貯玉再プレイ要求に示されたカードＩＤに関連づけられた貯玉口座の残高を所定数減算し、減算後の貯玉口座の残高と再プレイ可能回数を含む貯玉再プレイデータを台間カード処理機１０に送信する。なお、台間カード処理機１０と会員管理装置５０との通信は、カード管理装置４０を介して行なわれる。
【００４３】
また、会員管理装置５０は、景品管理装置６０から貯玉数の問い合わせを受けたならば、指定されたカードＩＤに対応する貯玉口座の残高を景品管理装置６０に通知する。
【００４４】
景品管理装置６０は、遊技店内の景品交換カウンタに併設された景品交換用の端末装置であり獲得玉、貯玉及び持玉の景品交換処理を行う。この景品管理装置６０には、カードのカードＩＤを読み取るリーダライタ及び景品を払い出す景品払出装置が接続されている。景品管理装置６０は、リーダライタがカードを受け付けた場合には、リーダライタで読み出したカードのカードＩＤをカード管理装置４０に送信して、該カードの持玉数を要求する。また、貯玉を景品交換する場合は、会員管理装置５０に対して貯玉数を要求する。
【００４５】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００４６】
図２に示したシステムで玉貸しを行う場合の玉貸処理について説明する。遊技客が台間カード処理機１０に対して玉貸操作を行うと、台間カード処理機１０は、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、玉貸要求とを含む。
【００４７】
カード管理装置４０は、玉貸要求を含む電文を受信すると、該電文内のカードＩＤに関連付けられたプリペイド価値を所定値（例えば、１００円＝１００度数の場合に５００度数）減算してカード管理データを更新し、玉貸許可を送信元の台間カード処理機１０に送信する。玉貸許可を受信した台間カード処理機１０は、減算したプリペイド価値に対応する数（例えば１２５玉）の遊技玉を払い出す。
【００４８】
次に、図２に示したシステムで持玉の再プレイを行う場合の持玉再プレイ処理について説明する。台間カード処理機１０は、一般カードあるいは会員カードの挿入を受け付けた場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、カード挿入通知とを含む。
【００４９】
カード管理装置４０は、台間カード処理機１０からカード挿入通知を受信した場合には、該電文内のカードＩＤに関連付けられた持玉口座のうち、該電文により特定されたレートの持玉口座の残高を台間カード処理機１０に通知する。
【００５０】
台間カード処理機１０は、カード管理装置４０から受信した持玉の残高を記憶する。そして、カードＩＤ及びレートを特定する情報と、持玉減算要求とを含む電文をカード管理装置４０に送信する。カード管理装置４０は、持玉減算要求を受信した場合には、カードＩＤ及びレートにより特定される持玉口座の残高をゼロにクリアする。台間カード処理機１０は、持玉再プレイ操作を受け付けた場合には、記憶した持玉の残高を所定数減算し、対応する数の遊技玉を払い出す。
【００５１】
台間カード処理機１０は、カード返却操作を受け付けた場合には、カード管理装置４０に対して持玉加算要求を含む電文を送信する。この電文は、排出するカードのカードＩＤと、送信元である台間カード処理機１０を特定するアドレス若しくは任意の識別情報と、台間カード処理機１０のレートを特定するための情報と、持玉の残高と持玉加算要求とを含む。
【００５２】
カード管理装置４０は、持玉加算要求を受け付けた場合には、該電文内のカードＩＤに関連付けられた持玉口座のうち、該電文により特定されたレートの持玉口座の残高を受信した残高の値に更新する。
【００５３】
その後、台間カード処理機１０は、カード管理装置４０にカード排出通知を送信し、カードを排出制御する。
【００５４】
次に、図２に示したシステムで貯玉の再プレイを行う場合の貯玉再プレイ処理について説明する。台間カード処理機１０は、会員カードを挿入された場合、若しくは会員カードとして使用可能な携帯端末からカードＩＤに対応する識別情報を読み取った場合に、カード管理装置４０のローカルアドレスを宛先として指定した電文を送信する。この電文は、台間カード処理機１０に挿入されているカードのカードＩＤ（若しくは携帯端末から読み取ったカードＩＤに対応する識別情報。以降、カードＩＤという）と、送信元である台間カード処理機１０を特定するアドレス若しくは任意の識別情報と、台間カード処理機１０のレートを特定するための情報と、カード挿入通知とを含む。
【００５５】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯玉口座のうち、該電文により特定されたレートの貯玉口座の残高及び再プレイ可能回数と、を含む貯玉再プレイデータを台間カード処理機１０に送信する。
【００５６】
台間カード処理機１０は、受信した貯玉再プレイデータを記憶し、貯玉再プレイデータに示された貯玉口座の残高が貯玉再プレイにおける遊技玉の払出単位数（貯玉再プレイ単位数。例えば１２５玉）以上である場合には貯玉再プレイ操作を受け付け可能とする。なお、貯玉口座の残高により貯玉再プレイ操作を受け付けるか否かを判定するかわりに、再プレイ可能回数が１以上である場合に貯玉再プレイ操作を受け付け可能としてもよい。
【００５７】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するかを確認する。
【００５８】
台間カード処理機１０は、暗証番号が一致した場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、貯玉再プレイ要求とを含む。
【００５９】
カード管理装置４０は、貯玉再プレイ要求の電文を会員管理装置５０に送信する。会員管理装置５０は、貯玉再プレイ要求の電文を受信した場合には、該電文内のカードＩＤに関連付けられた貯玉口座のうち、該電文により特定されたレートの貯玉口座の残高を所定値減算し、減算後の残高と再プレイ可能回数を含む貯玉再プレイデータを台間カード処理機１０に送信する。
【００６０】
台間カード処理機１０は、貯玉再プレイデータを受信して貯玉口座の残高を更新し、遊技玉を貯玉再プレイ単位数だけ払い出す。また、更新後の貯玉口座の残高が貯玉再プレイ単位数未満となったかを判定し、貯玉再プレイ単位数未満となったならば、貯玉再プレイ操作を受け付け不能とする。なお、再プレイ可能回数を参照し、再プレイ可能回数が０となった場合に貯玉再プレイ操作を受け付け不能としてもよい。更新後の貯玉口座の残高が貯玉再プレイ単位数以上であれば、再度貯玉再プレイ操作を受け付け可能であり、貯玉再プレイ操作を受け付けた場合には貯玉再プレイ要求を送信する。２回目以降の貯玉再プレイ操作では、暗証番号の確認は不要とすることが好適であるが、貯玉再プレイ操作の度に暗証番号の入力を求めるようにしてもよい。
【００６１】
次に、閉店処理における持玉からの貯玉への移行について説明する。カード管理装置４０は、閉店処理時にカード管理データの持玉口座の残高を確認し、持玉の残高が「０」より大きい持玉口座が存在する場合には、該持玉口座の残高をカードＩＤ及びレートとともに会員管理装置５０に通知する。会員管理装置５０は、カードＩＤ及びレートにより特定される貯玉口座の残高に通知された持玉口座残高を加算して更新する。その後、カード管理装置４０は、該持玉口座の残高をゼロにクリアする。
【００６２】
次に、図２に示した台間カード処理機１０の外観構成について説明する。図３は、図２に示した台間カード処理機１０の外観構成を示す図である。なお、図３には、遊技機２０に接続された台間カード処理機１０の外観構成を台間カード処理機１０として示している。また、併設される遊技機は、破線で図示している。また、図３では、紙幣のみを受け付ける台間カード処理機１０を図示したが、硬貨受け付け用のユニットを設けることもできる。
【００６３】
図３に示すように、台間カード処理機１０は、台間カード処理機１０の装置の状態を所定色のランプの点灯あるいは点滅で表示する状態表示部１１と、遊技玉を貸し出す際の各種紙幣を受け付ける紙幣挿入口１２ａとを有する。また、台間カード処理機１０は、タッチパネルディスプレイ等の表示操作部１３と、カードを受け付けるカード挿入口１４ａと、携帯端末等をかざすためのかざし部１４ｂと、遊技玉を遊技機に投出するノズルユニット１８ａと、遊技機の下皿から落下させた遊技玉を計数する計数ユニット１８ｂとを有する。
【００６４】
次に、図２に示した台間カード処理機１０の内部構成について説明する。図４は、図２に示した台間カード処理機１０の内部構成を示すブロック図である。図４に示すように、台間カード処理機１０は、紙幣搬送部１２と、表示操作部１３と、リーダライタ１４と、かざし部１４ｂと、通信部１５と、記憶部１６と、制御部１７と、ノズルユニット１８ａと、計数ユニット１８ｂとを有する。
【００６５】
紙幣搬送部１２は、紙幣挿入口１２ａから挿入された紙幣の金種及び真偽を判別しつつ図示しない紙幣収納部に搬送する搬送部である。表示操作部１３は、有価価値等の各種情報の表示と、玉貸操作等の各種操作の受け付けを行なうタッチパネルディスプレイ等の入出力装置である。
【００６６】
リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。かざし部１４ｂは、携帯端末等がかざされた場合に、近距離無線通信によりカードＩＤ等の各種情報を読み取るインタフェースである。
【００６７】
通信部１５は、遊技機２０及び通信回線との間のデータ通信を行なうためのインタフェース部である。ノズルユニット１８ａは、玉貸し又は再プレイにより遊技玉を払い出す際に、その一部又は全ての払い出しに使用される。計数ユニット１８ｂは、遊技玉を計数するユニットである。
【００６８】
記憶部１６は、ハードディスク装置や不揮発性メモリ等からなる記憶デバイスである。記憶部１６は、カードＩＤ１６ａ、有価価値データ１６ｂ、装置ＩＤ１６ｃ、遊技設定データ１６ｄ及び玉貸履歴データ１６ｅを記憶する。
【００６９】
カードＩＤ１６ａは、リーダライタ１４により読み取られたカードＩＤである。図示しないカード収納部からカード挿入口１４ａにカードが搬送され、該カードが排出される場合には、この搬送途中でリーダライタ１４により読み取られたカードＩＤによってカードＩＤ１６ａが更新される。また、カード挿入口１４ａから図示しないカード収納部にカードが搬送される場合にも、この搬送途中でリーダライタ１４により読み取られたカードＩＤによってカードＩＤ１６ａが更新される。
【００７０】
有価価値データ１６ｂは、遊技玉の払い出しを受けるために使用可能な有価価値を示すデータである。この有価価値には、玉貸しに使用可能なプリペイド価値の残高、持玉口座の残高、貯玉再プレイ用の暗証番号並びに貯玉口座の残高を含む。
【００７１】
装置ＩＤ１６ｃは、台間カード処理機１０を遊技店内で一意に識別するための識別情報である。遊技設定データ１６ｄは、台間カード処理機１０に設定された遊技種等を示すデータである。遊技店内で複数のレートの遊技玉を扱う場合には、４円レートの遊技玉に「玉１」、２円レートの遊技玉に「玉２」、１円レートの遊技玉に「玉３」のように、レート毎に遊技種名を設定して管理している。したがって、４円区画に設置された台間カード処理機１０は、遊技設定データ１６ｄとして「玉１」を記憶し、１円区画に設置された台間カード処理機１０は、遊技設定データ１６ｄとして「玉３」を記憶することとなる。
【００７２】
玉貸履歴データ１６ｅは、遊技玉の貸出処理の履歴を示すデータである。このデータは、カードの排出が行なわれた場合に、カードＩＤ１６ａと関連付けてカード管理装置４０に送信された後、クリアされる。
【００７３】
制御部１７は、台間カード処理機１０を全体制御する制御部であり、データ管理部１７ａ、計数処理部１７ｂ及び課税分管理部１７ｃを有する。
【００７４】
データ管理部１７ａは、カードが挿入された場合に、カードＩＤ１６ａ及び装置ＩＤ１６ｃを含むカード挿入通知をカード管理装置４０に送信する。また、データ管理部１７ａは、カード管理装置４０から有価価値（プリペイド価値、持玉及び貯玉の少なくともいずれか）を含むデータを受信した場合に、受信した有価価値により有価価値データ１６ｂを更新する。データ管理部１７ａは、有価価値データ１６ｂに示されたプリペイド価値、持玉及び貯玉の値を適宜表示操作部１３に表示制御する。
【００７５】
また、データ管理部１７ａは、遊技客により玉貸操作が行なわれた場合に、カードＩＤ１６ａ及び装置ＩＤ１６ｃを含む玉貸要求をカード管理装置４０に送信する。この玉貸要求への応答として玉貸許可を受信したならば、データ管理部１７ａは、所定数の遊技玉を払い出す。
【００７６】
また、データ管理部１７ａは、遊技客により持玉再プレイ操作が行なわれた場合に、有価価値データ１６ｂに示された持玉口座の残高を所定数減算し、対応する数の遊技玉を払い出す。
【００７７】
また、データ管理部１７ａは、有価価値データ１６ｂに示された貯玉口座の残高が貯玉再プレイ単位数以上である場合には、表示操作部１３に貯玉再プレイボタンを表示し、貯玉再プレイ操作を受け付け可能とする。データ管理部１７ａは、遊技客により貯玉再プレイ操作が行なわれた場合に、カードＩＤ１６ａ及び装置ＩＤ１６ｃを含む貯玉再プレイ要求をカード管理装置４０に送信する。この貯玉再プレイ要求への応答として貯玉再プレイデータを受信したならば、貯玉口座の残高を更新し、貯玉再プレイ単位数の遊技玉を払い出す。なお、初回の貯玉再プレイ操作時には、暗証番号の入力を求め、有価価値データ１６ｂに示された暗証番号と一致することを貯玉再プレイ要求を送信するための条件とする。
【００７８】
また、データ管理部１７ａは、遊技客によりカード返却操作が行なわれた場合に、カードＩＤ１６ａ、装置ＩＤ１６ｃ並びに持玉数を含む持玉加算要求をカード管理装置４０に送信して、自装置持玉口座の残高を０にクリアした後、カード排出通知をカード管理装置４０に送信し、カードを排出する。
【００７９】
また、データ管理部１７ａは、紙幣挿入口１２ａに紙幣が挿入されると、挿入された紙幣の金額、カードＩＤ１６ａ及び装置ＩＤを含む入金通知をカード管理装置４０に送信する。
【００８０】
計数処理部１７ｂは、計数ユニット１８ｂに遊技玉が投入された場合に、計数ユニット１８ｂにメダルの計数を行わせ、計数結果を有価価値データ１６ｂの持玉数に加算する処理を行なう。
【００８１】
課税分管理部１７ｃは、遊技玉の貸出処理時に徴収した消費税に関する情報を表示操作部１３に表示制御する処理部である。消費税に関する情報の表示タイミングは、遊技玉の貸出中、遊技玉の貸出後、若しくはカード排出時等から選択可能であり、いずれの表示タイミングを用いるかは遊技設定データ１６ｄに設定されている。
【００８２】
表示タイミングが貸出中である場合には、課税分管理部１７ｃは、データ管理部１７ａが貸出処理の実行に伴って所定数の遊技玉を払い出すごとに、消費税に関する情報を通知する。例えば、１回の玉貸操作を受け付けたときにプリペイド価値を５２５度数減算し、１２５玉の遊技玉を払い出す場合には、遊技玉を２５玉単位で５回払い出すのであるが、２５玉の遊技玉を払い出すごとに「１０５円  ２５玉  消費税５円」と表示する。
【００８３】
また、表示タイミングが貸出後である場合には、課税分管理部１７ｃは、データ管理部１７ａが貸出処理の実行に伴って所定数の遊技玉を払い出した後に、消費税に関する情報を通知する。例えば、１回の玉貸操作を受け付けたときにプリペイド価値を５２５度数減算し、１２５玉の遊技玉を払い出す場合には、遊技玉を１２５玉払い出した後で「５２５円  １２５玉  消費税２５円」と表示する。
【００８４】
また、課税分管理部１７ｃは、玉貸時に徴収した消費税を玉貸履歴データ１６ｅとして記憶部１６に格納している。そして、表示タイミングがカード排出時であるならば、課税分管理部１７ｃは、データ管理部１７ａがカードを排出した場合に、玉貸履歴データ１６ｅに示された情報を通知する。例えば、カードを排出するまでに５２５０度数をプリペイド価値から減算し、１２５０玉を貸し出していたならば、「５２５０円  １２５０玉  消費税２５０円」と表示する。
【００８５】
課税分管理部１７ｃは、貸出中、貸出後又はカード排出時に玉貸履歴データ１６ｅに示された情報を通知する際に、通知する情報を点滅させる等、表示態様を他の情報と異ならせて強調する。このように強調した表示を行なうことにより、遊技客は消費税に関する情報を確実に視認することができる。
【００８６】
また、課税分管理部１７ｃは、遊技客の操作に基づいて、玉貸履歴データ１６ｅを読み出して表示操作部１３に表示することもできる。このため、遊技客は遊技中の任意のタイミングでそれまでに徴収された消費税を確認することができる。さらに、課税分管理部１７ｃは、カードの排出が行なわれた場合に、カードＩＤ１６ａと玉貸履歴データ１６ｅと関連付けてカード管理装置４０に送信し、玉貸履歴データ１６ｅをクリアする。
【００８７】
次に、図４に示した記憶部１６の記憶内容について説明する。図５は、図４に示した記憶部１６の記憶内容を説明するための説明図である。図５（ａ）に示すカードＩＤ１６ａは、台間カード処理機１０に挿入されたカードのＩＤが「２００２」であることを示している。なお、ここでは、カードＩＤの上１桁がカードの種別を示しており、上１桁が「１」のカードが一般カード、上１桁が「２」のカードが会員カードである。
【００８８】
図５（ｂ）に示す有価価値データ１６ｂは、プリペイド価値が「１０００度数」である状態を示している。なお、ここではプリペイド価値の度数は１度数が１円相当である。また、有価価値データ１６ｂは、玉１の持玉口座の残高が「０玉」、玉２の持玉口座の残高が「０玉」、玉３の持玉口座の残高が「５００玉」である状態を示している。また、有価価値データ１６ｂは、貯玉再プレイ用の暗証番号が「７７７７」であり、玉１の貯玉口座の残高が「１０００玉」、玉２の貯玉口座の残高が「０玉」、玉３の貯玉口座の残高が「０玉」である状態を示している。
【００８９】
図５（ｃ）に示す装置ＩＤ１６ｃは、台間カード処理機１０のＩＤが「５００６」である状態を示している。また、図５（ｄ）に示す遊技設定データ１６ｄは、台間カード処理機１０に設定された遊技種、玉貸単位度数、玉貸単位玉数、課税分、表示タイミング及び表示内容を示している。
【００９０】
具体的には、遊技種は「玉１（４円）」である。これは、遊技種名が「玉１」であり、この遊技種のレート、すなわち貸出単価が１玉４円であることを示している。また、玉貸単位度数は「５２５」であり、玉貸単位玉数は「１２５」であり、課税分は「２５円」である。これは、遊技客が玉貸操作を行う度に、プリペイド価値を５２５度数減算し、１２５玉の遊技玉を払い出し、減算した５２５度数のプリペイド価値のうち、２５円相当分を消費税として徴収することを示している。
【００９１】
また、表示タイミングは「貸出実行後」であり、表示内容は「払出５２５玉  消費税として２５円を徴収しました」である。これは、玉貸操作を受け付けて遊技玉を１２５玉払い出した後で「払出５２５玉  消費税として２５円を徴収しました」と表示することを示している。
【００９２】
図５（ｅ）に示す玉貸履歴データ１６ｅは、カードＩＤ１６ａを読み取ってから行なわれた玉貸しの合計が「５２５０円  １２５０玉」であり、課税分が「２５０円」分であることを示している。
【００９３】
次に、図４に示した台間カード処理機１０による玉貸しにかかる処理動作について説明する。図６は、台間カード処理機１０による玉貸しにかかる処理動作を示すフローチャートである。
【００９４】
図６に示すように、台間カード処理機１０のデータ管理部１７ａは、表示操作部１３が遊技客による玉貸操作を受け付けたか否かを判定する（ステップＳ１０１）。表示操作部１３が玉貸操作を受け付けたならば（ステップＳ１０１；Ｙｅｓ）、データ管理部１７ａは、カード管理装置４０に玉貸要求を送信する（ステップＳ１０２）。そして、カード管理装置４０から玉貸許可を受信すると（ステップＳ１０３）、課税分管理部１７ｃは、遊技設定データ１６ｄに示された表示タイミングが「貸出中」であるか否かを判定する（ステップＳ１０４）。
【００９５】
表示タイミングが「貸出中」であるならば（ステップＳ１０４；Ｙｅｓ）、データ管理部１７ａによる遊技玉の貸出処理を行ないつつ、課税分管理部１７ｃによる消費税に関する情報（課税分のプリペイド度数又は遊技玉数）の表示を行なう（ステップＳ１０５）。また、表示タイミングが「貸出中」でなければ（ステップＳ１０４；Ｎｏ）、消費税に関する情報の表示は行なわず、データ管理部１７ａによる遊技玉の貸出処理を行なう（ステップＳ１０６）。
【００９６】
ステップＳ１０５又はステップＳ１０６の後、課税分管理部１７ｃは、玉貸履歴データ１６ｅを更新し（ステップＳ１０７）、遊技設定データ１６ｄに示された表示タイミングが「貸出後」であるか否かを判定する（ステップＳ１０８）。
【００９７】
表示タイミングが「貸出後」であるならば（ステップＳ１０８；Ｙｅｓ）、課税分管理部１７ｃは、消費税に関する情報（課税分のプリペイド度数又は遊技玉数）を表示操作部１３に表示する（ステップＳ１０９）。
【００９８】
ステップＳ１０９の後、表示タイミングが「貸出後」でない場合（ステップＳ１０８；Ｎｏ）、若しくは玉貸操作を受け付けていない場合（ステップＳ１０１；Ｎｏ）、データ管理部１７ａは、カード返却操作を受け付けたか否かを判定する（ステップＳ１１０）。カード返却操作を受け付けていなければ（ステップＳ１１０；Ｎｏ）、データ管理部１７ａは、ステップＳ１０１に移行し、玉貸操作を受け付けたか否かを判定する。
【００９９】
一方、カード返却操作を受け付けたならば（ステップＳ１１０；Ｙｅｓ）、課税分管理部１７ｃは、遊技設定データ１６ｄに示された表示タイミングが「カード排出時」であるか否かを判定する（ステップＳ１１１）。
【０１００】
表示タイミングが「カード排出時」であるならば（ステップＳ１１１；Ｙｅｓ）、課税分管理部１７ｃは、玉貸履歴データ１６ｅに示された情報（課税分のプリペイド度数又は遊技玉数の合計）を表示操作部１３に表示する（ステップＳ１１２）。
【０１０１】
ステップＳ１１２の終了後、若しくは表示タイミングが「カード排出時」ではない場合（ステップＳ１１１；Ｎｏ）、データ管理部１７ａはカードを排出し（ステップＳ１１３）、処理を終了する。なお、カードの排出時には、データ管理部１７ａは、カードＩＤ１６ａ、装置ＩＤ１６ｃ並びに持玉数を含む持玉加算要求をカード管理装置４０に送信して、自装置持玉口座の残高を０にクリアした後、カード排出通知をカード管理装置４０に送信する。また、課税分管理部１７ｃは、カードの排出時に、カードＩＤ１６ａと玉貸履歴データ１６ｅと関連付けてカード管理装置４０に送信し、玉貸履歴データ１６ｅをクリアする。
【０１０２】
次に、課税分管理部１７ｃによる表示の具体例について説明する。図７は、表示タイミングが「貸出中」である場合の表示について説明するための説明図である。図７（ａ）は、玉貸前の表示を示す。図７（ａ）では、表示操作部１３は、遊技玉の貸出単価が１玉４円であることと、プリペイド価値が１０００度数分残っていることと、持玉がゼロであることが表示されている。また、表示操作部１３には、遊技玉の貸出操作を受け付けるための玉貸ボタンが表示されている。
【０１０３】
図７（ｂ１）は、消費税を外税で徴収するケースであって、消費税分を金額により調整する場合の表示である。また、図７（ｂ２）は、消費税を外税で徴収するケースであって、消費税分を玉数により調整する場合の表示である。また、図７（ｂ３）は、消費税を内税で徴収する場合の表示である。
【０１０４】
図７（ｂ１）のように、消費税を外税で金額を調整して徴収する場合には、プリペイド価値を１０５度数減算し、遊技玉を２５玉払い出す処理を５回繰り返すこととなる。プリペイド価値から減算された１０５度数のうち、５度数分（５円相当）が消費税である。そこで、図７（ｂ１）では、プリペイド価値が「８９５」となり、「玉貸中  １０５円（２５玉）  消費税５円」と表示する。
【０１０５】
図７（ｂ２）のように、消費税を外税で玉数を調整して徴収する場合には、プリペイド価値を１００度数減算し、遊技玉を２４玉払い出す処理を５回繰り返すこととなる。遊技玉の貸出単価は１玉４円であるので、１００度数は２５玉相当であるが、２５玉の内１玉分が消費税として徴収されている。そこで、図７（ｂ２）では、プリペイド価値が「９００」となり、「玉貸中  １００円（２４玉）  消費税１玉」と表示する。
【０１０６】
図７（ｂ３）のように、消費税を内税で徴収する場合には、プリペイド価値を１００度数減算し、遊技玉を２５玉払い出す処理を５回繰り返すこととなる。内税の場合には、貸出時には１玉４円で貸出を行なうが、景品交換時に１玉を３．８円相当として取り扱うことで、消費税分を徴収する。そこで、図７（ｂ３）では、プリペイド価値が「９００」となり、「玉貸中  １００円（２５玉）  消費税として１玉から０．２円を徴収しています」と表示する。
【０１０７】
図８は、表示タイミングが「貸出後」である場合の表示について説明するための説明図である。図８（ａ）は、玉貸前の表示を示す。図８（ａ）では、表示操作部１３は、遊技玉の貸出単価が１玉４円であることと、プリペイド価値が１０００度数分残っていることと、持玉がゼロであることが表示されている。また、表示操作部１３には、遊技玉の貸出操作を受け付けるための玉貸ボタンが表示されている。
【０１０８】
図８（ｂ１）は、消費税を外税で徴収するケースであって、消費税分を金額により調整する場合の表示である。また、図８（ｂ２）は、消費税を外税で徴収するケースであって、消費税分を玉数により調整する場合の表示である。また、図８（ｂ３）は、消費税を内税で徴収する場合の表示である。
【０１０９】
図８（ｂ１）のように、消費税を外税で金額を調整して徴収する場合には、玉貸ボタンが１回操作されると、プリペイド価値を５２５度数減算し、遊技玉を１２５玉払い出す処理が行なわれる。プリペイド価値から減算された５２５度数のうち、２５度数分（２５円相当）が消費税である。そこで、図８（ｂ１）では、プリペイド価値が「４７５」となり、「払出５２５円  消費税として２５円を徴収しました」と表示する。
【０１１０】
図８（ｂ２）のように、消費税を外税で玉数を調整して徴収する場合には、玉貸ボタンが１回操作されると、プリペイド価値を５００度数減算し、遊技玉を１２０玉払い出す処理が行なわれる。遊技玉の貸出単価は１玉４円であるので、５００度数は１２５玉相当であるが、１２５玉の内５玉分が消費税として徴収されている。そこで、図８（ｂ２）では、プリペイド価値が「５００」となり、「払出１２０玉  消費税として５玉を徴収しました」と表示する。
【０１１１】
図８（ｂ３）のように、消費税を内税で徴収する場合には、玉貸ボタンが１回操作されると、プリペイド価値を５００度数減算し、遊技玉を１２５玉払い出す処理が行なわれる。内税の場合には、貸出時には１玉４円で貸出を行なうが、景品交換時に１玉を３．８円相当として取り扱うことで、消費税分を徴収する。そこで、図８（ｂ３）では、プリペイド価値が「５００」となり、「払出１２５玉  消費税として１玉から０．２円を徴収しました」と表示する。
【０１１２】
図９は、表示タイミングが「カード排出時」である場合の表示について説明するための説明図である。図９（ｂ１）は、消費税を外税で徴収するケースであって、消費税分を金額により調整する場合の表示である。また、図９（ｂ２）は、消費税を外税で徴収するケースであって、消費税分を玉数により調整する場合の表示である。また、図９（ｂ３）は、消費税を内税で徴収する場合の表示である。
【０１１３】
図９（ｂ１）のように、消費税を外税で金額を調整して徴収する場合には、カード排出時に「カードをお取り下さい  ご利用ありがとうございました」との表示とともに、「トータル玉貸５２５０円  消費税として２５０円を徴収しました」と表示する。
【０１１４】
図９（ｂ２）のように、消費税を外税で玉数を調整して徴収する場合には、カード排出時に「カードをお取り下さい  ご利用ありがとうございました」との表示とともに、「トータル玉貸１２００玉  消費税として５０玉を徴収しました」と表示する。
【０１１５】
図９（ｂ３）のように、消費税を内税で徴収する場合には、カード排出時に「カードをお取り下さい  ご利用ありがとうございました」との表示とともに、「トータル玉貸１２５０玉  消費税として１玉から０．２円を徴収しました」と表示する。
【０１１６】
次に、図２に示したカード管理装置４０の内部構成について説明する。図１０は、図２に示したカード管理装置４０の内部構成を示すブロック図である。図１０に示すように、カード管理装置４０は、表示部４１及び入力部４２と接続され、店舗ネットワーク通信部４４、記憶部４５及び制御部４６を有する。
【０１１７】
表示部４１は、液晶パネルやディスプレイ装置等である。入力部４２は、キーボードやマウス等である。店舗ネットワーク通信部４４は、通信回線を介して台間カード処理機１０、会員管理装置５０、景品管理装置６０等とデータ通信するためのインタフェース部である。
【０１１８】
記憶部４５は、ハードディスク装置や不揮発性メモリ等の記憶デバイスであり、カード管理データ４５ａ、遊技設定管理データ４５ｂ及び玉貸履歴管理データ４５ｃを記憶する。
【０１１９】
カード管理データ４５ａは、カードＩＤに対し、プリペイド価値の残高と、各レートの持玉口座の残高と、該カードが挿入されている台間カード処理機のＩＤを示す使用先ＩＤとを対応付けたデータである。
【０１２０】
遊技設定管理データ４５ｂは、各遊技種について、消費税の徴収方法を設定したデータである。玉貸履歴管理データ４５ｃは、カードＩＤに装置ＩＤと、玉貸合計と、課税分とを関連付けたデータである。
【０１２１】
制御部４６は、カード管理装置４０を全体制御する制御部であり、カード管理部４６ａ、遊技設定管理部４６ｂ及び玉貸履歴管理部４６ｃを有する。実際には、これらの機能部に対応するプログラムを図示しないＲＯＭや不揮発性メモリに記憶しておき、これらのプログラムをＣＰＵ（Central Processing Unit）にロードして実行することにより、カード管理部４６ａ、遊技設定管理部４６ｂ及び玉貸履歴管理部４６ｃにそれぞれ対応するプロセスを実行させることになる。
【０１２２】
カード管理部４６ａは、カード管理データ４５ａの管理を行なう処理部である。具体的には、カード管理部４６ａは、台間カード処理機１０からカード挿入通知を受信した場合には、カード挿入通知に示されたカードＩＤの使用先を、同じくカード挿入通知に示された装置ＩＤとする。また、カード挿入通知に示されたカードＩＤに関連付けられたプリペイド価値と各レートの持玉口座の残高とを有価価値として台間カード処理機１０に通知する。また、挿入されたカードが会員カードである場合には、会員管理装置５０に対してカード挿入通知を転送する。カード管理部４６ａは、台間カード処理機１０から持玉減算要求を受信した場合に、持玉減算要求に示された持玉口座の残高をゼロにクリアしてカード管理データ４５ａを更新する。
【０１２３】
また、カード管理部４６ａは、台間カード処理機１０からカードＩＤを含む玉貸要求を受信した場合に、該カードＩＤに関連付けられたプリペイド価値が所定値以上であるか否かを判定する。プリペイド価値が所定値以上である場合には、カード管理部４６ａは、プリペイド価値を所定値減算してカード管理データ４５ａを更新し、台間カード処理機１０に更新後のプリペイド価値を含む玉貸許可を送信する。一方、プリペイド価値が所定値未満である場合には、カード管理部４６ａは、台間カード処理機１０に玉貸不可を通知する。
【０１２４】
また、カード管理部４６ａは、台間カード処理機１０から金額、カードＩＤ１６ａ及び装置ＩＤ１６ｃを含む入金通知を受信した場合に、該カードＩＤ関連付けられたプリペイド価値を入金通知に示された金額に対応する度数分加算して、カード管理データ４５ａを更新する。
【０１２５】
また、カード管理部４６ａは、台間カード処理機１０から貯玉再プレイ要求を受信した場合には、該貯玉再プレイ要求を会員管理装置５０に転送する。また、貯玉再プレイ要求に対する会員管理装置５０からの応答についても、カード管理部４６ａが転送制御を行なう。
【０１２６】
また、カード管理部４６ａは、持玉加算要求を受信した場合には、持玉加算要求に示された持玉口座の残高に受信した持玉数を加算して、カード管理データ４５ａを更新する。また、カード管理部４６ａは、カード排出通知を受信した場合には、該カードＩＤの使用先について値を消去し、カード管理データ４５ａを更新する。
【０１２７】
また、カード管理部４６ａは、景品管理装置６０からカードＩＤを受信したならば、このカードＩＤに対応づけられた各レートの持玉口座の残高を景品管理装置６０に対して通知する。
【０１２８】
遊技設定管理部４６ｂは、遊技設定管理データ４５ｂを管理する処理部である。この遊技設定管理データ４５ｂは、所定の権限を有する遊技店員により設定され、対応する台間カード処理機１０に送信される。すなわち、遊技種「玉１」を使用する台間カード処理機１０には、遊技種「玉１」に関連付けられたデータが送信され、遊技種「玉２」を使用する台間カード処理機１０には、遊技種「玉２」に関連付けられたデータが送信され、遊技種「玉３」を使用する台間カード処理機１０には、遊技種「玉３」に関連付けられたデータが送信される。
【０１２９】
玉貸履歴管理部４６ｃは、玉貸履歴管理データ４５ｃを管理する処理部である。具体的には、玉貸履歴管理部４６ｃは、台間カード処理機１０から玉貸履歴データ１６ｅを受信した場合に、受信した玉貸履歴データ１６ｅをカードＩＤ１６ａ及び装置ＩＤ１６ｃと関連付けて玉貸履歴管理データ４５ｃに追加する。
【０１３０】
玉貸履歴管理部４６ｃは、台間カード処理機１０等の店内の装置からカードＩＤを指定して問い合わせがあった場合に、該カードＩＤに関連付けられた情報を玉貸履歴管理データ４５ｃから読み出して問い合わせ元に送信する。このため、遊技客は、同一のカードを使用して行なった玉貸の履歴を閲覧することが可能となる。
【０１３１】
また、会員カードのカードＩＤに関連付けられた玉貸履歴については、会員管理装置５０に送信して保持させてもよい。一般カードの情報は閉店処理時にクリアされるが、会員管理装置５０は会員カードに関連付けられた情報を翌日以降も保持するので、会員管理装置５０に玉貸の履歴を保持させることで、翌日以降も閲覧可能となる。
【０１３２】
例えば、会員が台間カード処理機１０で玉貸の履歴を参照できるようにする場合には、台間カード処理装置１０が会員カードを受け付けた場合に表示する会員用画面に、「玉貸履歴」などのボタンを表示する。そして、このボタンに対する操作を受け付けた場合には、台間カード処理装置１０が会員管理装置５０から取得した玉貸の履歴を表示する。玉貸の履歴を表示する際に、消費税の徴収履歴を合わせて表示することにより、会員は、どれだけの消費税がどのように徴収されたかを確認可能となる。
【０１３３】
次に、カード管理装置４０の記憶部４５が記憶するデータの具体例について説明する。図１１は、カード管理装置４０の記憶部４５が記憶するデータを説明するための説明図である。
【０１３４】
図１１（ａ）に示すカード管理データ４５ａでは、カードＩＤ「１００１」にプリペイド価値「３０００度数」と、玉１の玉口座の残高「１２００」と、玉２の玉口座の残高「０」と、玉３の持玉口座の残高「５００」とが関連付けられている。すなわち、カードＩＤ「１００１」のカードは、台間カード処理機１０に挿入されておらず、持玉の管理がカード管理装置４０により行われている。
【０１３５】
また、図１１（ａ）に示すカード管理データ４５ａでは、カードＩＤ「２００２」にプリペイド価値「１０００度数」と、玉１の持玉口座の残高「０」と、玉２の持玉口座の残高「０」と、レート３の持玉口座の残高「０」と、使用先ＩＤ「５００６」とが関連付けられている。すなわち、カードＩＤ「２００２」のカードは、装置ＩＤ「５００６」の台間カード処理機１０に挿入されており、持玉については台間カード処理機１０に管理が移っている。このため、各レートの持玉口座の残高はゼロである。
【０１３６】
また、図１１（ｂ）に示す遊技設定管理データ４５ｂは、遊技種「玉１（４円）」に対し、玉貸単位度数「５２５」、玉貸単位玉数「１２５」、課税分「２５円」、表示タイミング「貸出実行後」、及び表示内容「払出５２５玉  消費税として２５円を徴収しました」を関連付けている。これは、遊技客が玉貸操作を行う度に、プリペイド価値を５２５度数減算し、１２５玉の遊技玉を払い出し、減算した５２５度数のプリペイド価値のうち、２５円相当分を消費税として徴収することを示している。そして、玉貸操作を受け付けて遊技玉を１２５玉払い出した後で「払出５２５玉  消費税として２５円を徴収しました」と表示することを示している。
【０１３７】
また、遊技設定管理データ４５ｂは、遊技種「玉２（２円）」に対し、玉貸単位度数「２５０」、玉貸単位玉数「１２０」、課税分「５玉」、表示タイミング「貸出実行後」、及び表示内容「払出１２０玉  消費税として５玉を徴収しました」を関連付けている。これは、遊技客が玉貸操作を行う度に、プリペイド価値を２５０度数減算し、１２０玉の遊技玉を払い出し、５玉分を消費税として徴収することを示している。そして、玉貸操作を受け付けて遊技玉を１２０玉払い出した後で「払出１２０玉  消費税として５玉を徴収しました」と表示することを示している。
【０１３８】
また、遊技設定管理データ４５ｂは、遊技種「玉３（１円）」に対し、玉貸単位度数「２５０」、玉貸単位玉数「２５０」、課税分「なし」、表示タイミング「貸出実行後」、及び表示内容「払出２５０玉  消費税  当店負担サービス中！」を関連付けている。これは、遊技客が玉貸操作を行う度に、プリペイド価値を２５０度数減算し、２５０玉の遊技玉を払い出し、消費税分は遊技客が負担しないことを示している。そして、玉貸操作を受け付けて遊技玉を２５０玉払い出した後で「払出２５０玉  消費税  当店負担サービス中！」と表示することを示している。
【０１３９】
このように、消費税の徴収方法や負担割合については、遊技種毎に個別に設定することが可能であり、どのように消費税を行なったか、並びに消費税の負担者及びその割合を遊技客に適宜通知することができる。
【０１４０】
図１１（ｃ）に示す玉貸履歴管理データ４５ｃは、カードＩＤ「２００２」が装置ＩＤ「５００６」の装置において、「５２５０円分、１２５０玉」の玉貸に使用され、課税分が「２５０円」であることを示している。
【０１４１】
上述してきたように、本実施例１では、台間カード処理機１０は、遊技玉の貸出に際して徴収した消費税相当分の金額又は遊技玉数を遊技客から視認可能に表示するので、貸出時に徴収される消費税についての情報を遊技客に対して適正に報知することができる。
【実施例２】
【０１４２】
上記実施例１では、台間カード処理機１０が消費税に関する情報を報知する場合について説明を行なったが、消費税に関する情報の報知は、景品交換時にも有効である。これは、貸出時には消費税を含んだ貸出単価が用いられるのに対し、景品交換時には消費税相当分を除いた交換単価が用いられるため、遊技客が貸出単価と交換単価が一致しないことにより混乱をきたす場合があるからである。
【０１４３】
そこで、本実施例２では、消費税に関する情報の報知を行なう景品管理装置について説明する。まず、実施例２にかかる景品管理装置１６０の外観構成について説明する。図１２は、実施例２にかかる景品管理装置１６０の外観構成を示す図である。同図（ａ）には正面上方（景品カウンタの店員側）から見た景品管理装置１６０の斜視図を示し、同図（ｂ）には景品管理装置１６０の背面図（景品カウンタの遊技客側）を示している。
【０１４４】
図１２（ａ）に示すように、景品管理装置１６０の前面には、店側表示部６１、操作部６２、レシート発行部６３及びバーコードリーダ６７が設けられている。ここでは、説明の便宜上図示省略したが、電源スイッチやメモリカード差込口なども設けられる。また、景品管理装置１６０には、リーダライタ７０が接続されている。
【０１４５】
店員は、計数機等で発行された計数レシートを遊技客から受け取ったならば、バーコードリーダ６７で計数レシートに印字されたバーコードを読み取り、遊技客が獲得した獲得玉数を特定する。また、リーダライタ７０のカード挿入口７３にカードが挿入された場合には、該カードに対応付けられた持玉数及び貯玉数を特定する。このように特定した玉数は、特殊景品又は一般景品との景品交換に使用される。
【０１４６】
店側表示部６１は、操作者である遊技店の店員用の表示部兼操作部であり、タッチパネルカラー液晶ディスプレイ等からなる。この店側表示部６１には、景品交換内容や操作ガイダンスなどが表示される。操作部６２は、テンキー、専用キー及びモードキー等の複数のキーからなり、景品交換操作入力などを行う際に使用される。
【０１４７】
レシート発行部６３は、登録リストや集計リストの各種レシートを発行処理する発行部であり、感熱式プリンタ等からなる。バーコードリーダ６７は、計数レシートに印刷されたバーコードを読み取って、情報内容を特定する。
【０１４８】
図１２（ｂ）に示すように、景品管理装置１６０の背面には、遊技客用の客側表示部６４が設けられている。この客側表示部６４は、蛍光表示管やタッチパネルカラー液晶ディスプレイ等からなる。遊技客は、この客側表示部６４の表示内容を確認することにより、カードに対応付けられる持玉数や貯玉数を確認することができる。さらに、客側表示部６４は、上位の装置（例えばカード管理装置４０）からイベント情報などを設定データとして通知された場合には、該イベント情報を表示することができる。
【０１４９】
また、この景品管理装置１６０にはリーダライタ７０が接続されている。このリーダライタ７０には、表示操作部７１、かざし部７２、カード挿入口７３及び扉カギ７４が設けられている。表示操作部７１は、タッチパネルカラー液晶ディスプレイ等からなり、カードの読み取り状況等が表示される。なお、会員カードの場合には、この表示操作部７１を用いて暗証番号が入力される。かざし部７２は、非接触ＩＣカード又はＩＣチップ内蔵の携帯電話機との間で非接触のデータ送受信を行うためのかざし部である。カード挿入口７３は、会員カード及び一般カードを挿入する挿入口である。
【０１５０】
次に、図１２に示した景品管理装置１６０の内部構成について説明する。図１３は、図１２に示した景品管理装置の内部構成を示すブロック図である。同図に示すように、この景品管理装置１６０は、通信回線及びリーダライタ７０に接続されている。景品管理装置１６０は、すでに説明した店側表示部６１、操作部６２、レシート発行部６３及び客側表示部６４と、記憶部６５と、制御部６６と、通信部６８とを有する。通信部６８は、景品管理装置１６０が通信回線と通信するためのインタフェース部である。
【０１５１】
記憶部６５は、フラッシュメモリ又はハードディスク装置等からなる記憶デバイスであり、景品マスタ６５ａ、レシートデータ６５ｂ及び交換率データ６５ｃを記憶する。景品マスタ６５ａは、遊技玉を景品に交換する際に使用するデータである。また、レシートデータ６５ｂは、バーコードリーダ６７によりレシートから読み取ったデータを示す。交換率データ６５ｃは、各遊技種について、貸出単価、交換単価及び消費税を関連付けたデータである。景品マスタ６５ａ及び交換率データ６５ｃは、会員管理装置５０から取得することが一般的である。
【０１５２】
制御部６６は、景品管理装置を全体制御する制御部であり、景品管理部６６ａ、景品交換処理部６６ｂ及び課税分管理部６６ｃを有する。景品管理部６６ａは、記憶部６５に記憶した景品マスタ６５ａを用いて景品管理装置１６０の取扱対象となる特殊景品、一般景品の交換玉数等を管理する管理部である。
【０１５３】
景品交換処理部６６ｂは、景品交換処理を行う処理部である。景品との交換に使用される玉数は、バーコードリーダ６７によりレシートから読み取った獲得玉数、リーダライタ７０により読み取られたカードＩＤに対応付けられた持玉数及び貯玉数である。
【０１５４】
景品交換処理部６６ｂは、獲得玉数、持玉数及び貯玉数の範囲内で、景品マスタ６５ａに基づいて特殊景品及び一般景品の景品交換処理を行う。特殊景品の交換処理を行う場合には、景品交換処理部６６ｂは、獲得玉数、持玉数及び貯玉数から交換可能な特殊景品の種類及び数の組み合わせを求め、該特殊景品の種類及び数を指定した払出指示を図示しない景品払出機に送信することで、特殊景品の払い出しを行わせる。
【０１５５】
課税分管理部６６ｃは、景品交換が行なわれた場合に、交換率データ６５ｃを参照し、景品交換に用いられた遊技玉の遊技種について、交換単価及び消費税を客側表示部６４に表示する。
【０１５６】
次に、図１３に示した記憶部６５が記憶するデータの具体例について説明する。図１４は、記憶部６５が記憶するデータを説明するための説明図である。図１４（ａ）に示す景品マスタ６５ａは、景品を一意に識別する景品コードに対し、景品名、群コード、景品価値及び交換玉数を関連付けたデータである。ここで、群コードは景品を分類して管理する為の識別情報である。群コード「０１」は、一定の手続きを経て所定の価値で譲渡可能な特殊景品を示す。群コード「０２」以降は、特殊景品以外の日用品などを含む一般景品である。
【０１５７】
景品マスタ６５ａは、景品コード「０００１」に対し、景品名「大景品」、群コード「０１」、景品価値「４０００」、玉１の交換玉数「１０５６」、玉２の交換玉数「２１０６」並びに玉３の交換玉数「４２１２」を関連付けている。
【０１５８】
また、景品マスタ６５ａは、景品コード「０００２」に対し、景品名「小景品」、群コード「０１」、景品価値「１０００」、玉１の交換玉数「２６３」、玉２の交換玉数「５２６」並びに玉３の交換玉数「１０４６」を関連付けている。
【０１５９】
また、景品マスタ６５ａは、景品コード「０１００」に対し、景品名「Ｍセブン」、群コード「０２」、景品価値「４００」、玉１の交換玉数「１０６」、玉２の交換玉数「２１２」並びに玉３の交換玉数「４１４」を関連付けている。
【０１６０】
また、景品マスタ６５ａは、景品コード「０１０１」に対し、景品名「ラック」、群コード「０２」、景品価値「４２０」、玉１の交換玉数「１１０」、玉２の交換玉数「２２０」並びに玉３の交換玉数「４４０」を関連付けている。
【０１６１】
また、景品マスタ６５ａは、景品コード「０６００」に対し、景品名「端玉  飴」、群コード「０４」、景品価値「１２」、玉１の交換玉数「３」、玉２の交換玉数「６」並びに玉３の交換玉数「１２」を関連付けている。
【０１６２】
図１４（ｂ）に示すレシートデータ６５ｂは、レシートを一意に識別するレシートＩＤ「Ｒ０００１」に対し、遊技種「玉１」及び獲得玉数「１５００」を関連付けた状態を示している。
【０１６３】
図１４（ｃ）に示す交換率データ６５ｃは、遊技種「玉１」に対して貸出単価「４円」、交換単価「３．８円」及び消費税「０．２円」を関連付けた状態を示している。すなわち、遊技種「玉１」である場合には、遊技玉は１玉４円で貸し出され、１玉３．８円相当として景品交換に用いられる。そして、１玉あたり０．２円が消費税となる。
【０１６４】
また、交換率データ６５ｃは、遊技種「玉２」に対して貸出単価「２円」、交換単価「１．９円」及び消費税「０．１円」を関連付けた状態を示している。すなわち、遊技種「玉１」である場合には、遊技玉は１玉２円で貸し出され、１玉１．９円相当として景品交換に用いられる。そして、１玉あたり０．１円が消費税となる。
【０１６５】
また、交換率データ６５ｃは、遊技種「玉３」に対して貸出単価「１円」、交換単価「０．９５円」及び消費税「０．０５円」を関連付けた状態を示している。すなわち、遊技種「玉３」である場合には、遊技玉は１玉１円で貸し出され、１玉０．９５円相当として景品交換に用いられる。そして、１玉あたり０．０５円が消費税となる。
【０１６６】
次に、景品交換時の客側表示部６４への表示について説明する。図１５は、景品交換時の客側表示部６４への表示について説明するための説明図である。同図は、遊技種が「玉１」で獲得玉数が「１５００」の状態において、大景品１個を交換対象とする場合を示している。したがって、客側表示部６４は、「レート４円  玉数１５００  大景品  １０５６玉  １個  残り玉数４４４玉」を表示している。ここで、大景品の交換玉数「１０５６」は、景品マスタ６５ａにより特定された値であり、残り玉数は獲得玉数から大景品１個分の交換玉数を減算した値である。
【０１６７】
課税分管理部６６ｃは、この表示に対し、「１玉３．８円換算  ０．２円は消費税です」との表示を加えることで、消費税の徴収について遊技客に報知する。このため、遊技客は、レートとして示された貸出単価と交換単価との差が消費税によるものであることを確認することができる。
【０１６８】
次に、遊技中に持玉を分割する場合について説明する。遊技客は、持玉を複数のカードに分割する場合がある。この分割の目的の一つは、景品交換用の玉数を区別して管理することである。景品交換用に持玉を分割する場合には、特殊景品の交換玉数に合わせ、交換時に余り玉が残らないようにすることが多い。しかし、消費税の徴収により貸出単価と交換単価とが一致しない状態では、遊技客が特殊景品の交換玉数を正確に把握していないケースが多くなり、適切な玉数を指定することは遊技客にとって困難になる。そこで、景品交換を行なっても余り玉が出ないように分割時点で支援を行なうことが望ましい。
【０１６９】
図１６は、持玉を分割する機能を備えた台間カード処理機１１０の構成図である。図１６に示す台間カード処理機１１０は、制御部１７に分割処理部１７ｄをさらに備える点が図４に示した台間カード処理機１０と異なる。その他の構成及び動作については、図４に示した台間カード処理機１０と同様であるので、同一の構成要素には同一の符号を付して説明を省略する。
【０１７０】
分割処理部１７ｄは、遊技客から分割する玉数（分割玉数）の入力を受けた場合に、分割玉数を有価価値データ１６ｂの持玉数から減算して更新するとともに、分割玉数を持玉数としてカードに関連付けて排出する処理を行なう処理部である。この結果、有価価値データ１６ｂは、排出されたカードとは異なるカードに関連付けられる。
【０１７１】
さらに、分割処理部１７ｄは、入力された分割玉数と特殊景品の交換玉数とを比較し、その差が所定値以下である場合には、特殊景品の交換玉数を分割玉数とするか否かを遊技客に確認する表示を行なう。そして、遊技客の指定入力に基づき、入力された分割玉数をそのままカードに関連付けるか、分割玉数を特殊景品の交換玉数と一致させてカードに関連付けるかを決定する。
【０１７２】
図１７は、台間カード処理機１１０による持玉の分割について説明するための説明図である。図１７（ａ）は、持玉が「１５００」の状態で、遊技客が分割玉数「１０００」を入力した状態を示している。
【０１７３】
台間カード処理機１１０は、入力された分割玉数「１０００」が大景品の交換玉数「１０５６」と近いことから、図１７（ｂ）に示すように、表示操作部１３に「もしかして景品交換？  大景品の交換には１０５６玉必要です」とのメッセージを表示するとともに、「１０５６玉」と「１０００玉」のいずれを分割玉数とするかを選択するためのボタンを表示する。
【０１７４】
遊技客が「１０５６玉」を分割玉数として選択すると、図１７（ｃ）に示すように、台間カード処理機１１０は、１０５６玉を持玉として関連付けたカードを排出する。また、分割後の持玉は４４４玉となり、この分割後の持玉はレート「４円」やプリペイド価値「１０００」とともに表示操作部１３に表示される。
【０１７５】
次に、図１６に示した台間カード処理機１１０による持玉分割にかかる処理動作について説明する。図１８は、図１６に示した台間カード処理機１１０による持玉分割にかかる処理動作を示すフローチャートである。
【０１７６】
分割処理部１７ｄは、遊技客による分割操作を受け付けたか否かを判定し（ステップＳ２０１）、分割操作を受け付けていなければ（ステップＳ２０１；Ｎｏ）、再び遊技客による分割操作を受け付けたか否かを判定する待機動作を行なっている。
【０１７７】
分割操作を受け付けたならば（ステップＳ２０１；Ｙｅｓ）、分割処理部１７ｄは、分割操作において入力された玉数と特殊景品の交換玉数とを比較する（ステップＳ２０２）。比較の結果、入力された玉数と特殊景品の交換玉数との差が所定値以下であるならば（ステップＳ２０３；Ｙｅｓ）、分割処理部１７ｄは、特殊景品の交換玉数を分割玉数の候補として遊技客に提示する（ステップＳ２０４）。提示した玉数での分割を遊技客が選択した場合には（ステップＳ２０５；Ｙｅｓ）、分割処理部１７ｄは、提示した玉数を分割玉数とする（ステップＳ２０６）。
【０１７８】
提示した玉数での分割を遊技客が選択しなかった場合（ステップＳ２０５；Ｎｏ）、若しくは入力された玉数と特殊景品の交換玉数との差が所定値を超える場合（ステップＳ２０３；Ｎｏ）、分割処理部１７ｄは、入力された玉数を分割玉数とする（ステップＳ２０７）。
【０１７９】
ステップＳ２０６又はステップＳ２０７により分割玉数が確定すると、分割処理部１７ｄは、有価価値データ１６ｂの持玉数を分割玉数だけ減算して更新し（ステップＳ２０８）、分割玉数を持玉として関連付けたカードを排出して（ステップＳ２０９）、処理を終了する。
【０１８０】
上述してきたように、実施例２では、景品管理装置１６０は、遊技玉の貸出に際して徴収した消費税相当分の金額又は遊技玉数を、景品交換時に遊技客から視認可能に表示するので、貸出時に徴収された消費税についての情報を遊技客に対して適正に報知することができる。
【０１８１】
また、実施例２では、台間カード処理機１１０は、持玉の分割時に指定された玉数と特殊景品の交換玉数とを比較し、その差が所定値以下であれば特殊景品の交換玉数を分割玉数の候補として提示するので、遊技客は特殊景品と交換する場合に残り玉がでないよう分割玉数を設定可能である。なお、実施例２では、特殊景品の交換玉数と比較する場合について説明したが、一般景品の交換玉数と比較することとしてもよい。また、入力された玉数と交換玉数の整数倍とを比較し、同一の景品を複数交換するケースに対応することとしてもよい。
【０１８２】
なお、上述の実施例１及び２では、遊技媒体として遊技玉を用いる場合について説明を行なったが、本発明はこれに限定されるものではなく、メダル等の他の遊技媒体を用いる場合であっても適用可能である。
【０１８３】
また、上述の実施例１及び２では、台間カード処理装置１０及び１１０は、自装置の表示操作部１３に消費税に関する情報を表示する構成としたが、自装置に接続された他の装置の表示部に消費税に関する情報を表示するように構成してもよい。
【０１８４】
例えば、台間カード処理装置１０又は１１０に併設された遊技機が表示部を有する場合であって、該遊技機の表示部における表示内容を台間カード処理装置１０又は１１０が制御可能であるならば、該遊技機の表示部に消費税に関する情報を表示してもよい。
【０１８５】
また、遊技機に台間カード処理装置１０又は１１０とともに他の台間装置がさらに併設された所謂ダブルサンド構成であって、他の台間装置の表示部における表示内容を台間カード処理装置１０又は１１０が制御可能であるならば、他の台間装置の表示部に消費税に関する情報を表示してもよい。
【０１８６】
また、上述の実施例１では、貸出中、貸出後、カード排出時のいずれかを消費税に関する情報の表示タイミングとして選択する場合について説明を行ったが、表示タイミングは組み合わせて使用してもよい。例えば、貸出中に表示を行うのに加え、カード排出時にも改めて表示を行ってもよい。
【０１８７】
また、上述の実施例２では、景品交換時に残り玉がでないよう分割玉数を設定可能とする構成について説明を行ったが、持玉の分割に限らず、持玉の一部を景品交換用に取り置いて持玉の再プレイの対象から除外する持玉キープ時にも適用可能である。この場合、持玉のキープ時に指定された玉数と特殊景品の交換玉数とを比較し、その差が所定値以下であれば特殊景品の交換玉数をキープ玉数の候補として提示することとなる。
【０１８８】
また、上述の実施例１及び２では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。特に、ＩＣチップ付携帯端末を媒体として用いる場合は、当該携帯端末のＩＣチップから非接触にて取得可能な識別情報を用いて携帯端末を一意に識別できるため、当該識別情報に関連付けて遊技媒体数を管理することができる。
【０１８９】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１９０】
以上のように、本発明に係る遊技媒体処理装置及び遊技媒体処理方法は、遊技媒体の貸出時に徴収される消費税についての情報を遊技客に対して適正に報知することに適している。
【符号の説明】
【０１９１】
１０、１１０  台間カード処理機
１１  状態表示部
１２  紙幣搬送部
１２ａ  紙幣挿入口
１３、７１  表示操作部
１４、７０  リーダライタ
１４ａ、７３  カード挿入口
１４ｂ、７２  かざし部
１５、６８  通信部
１６、４５、６５  記憶部
１６ａ  カードＩＤ
１６ｂ  有価価値データ
１６ｃ  装置ＩＤ
１６ｄ  遊技設定データ
１６ｅ  玉貸履歴データ
１７、４６  制御部
１７ａ  データ管理部
１７ｂ  計数処理部
１７ｃ、６６ｃ  課税分管理部
１７ｄ  分割処理部
１８ａ  ノズルユニット
１８ｂ  計数ユニット
２０  遊技機
３０  島コントローラ
４０  カード管理装置
４１  表示部
４２  入力部
４４  店舗ネットワーク通信部
４５ａ  カード管理データ
４５ｂ  遊技設定管理データ
４５ｃ  玉貸履歴管理データ
４６ａ  カード管理部
４６ｂ  遊技設定管理部
４６ｃ  玉貸履歴管理部
５０  会員管理装置
６０、１６０  景品管理装置
６１  店側表示部
６２  操作部
６３  レシート発行部
６４  客側表示部
６５ａ  景品マスタ
６５ｂ  レシートデータ
６５ｃ  交換率データ
６６ａ  景品管理部
６６ｂ  景品交換処理部
６７  バーコードリーダ
７４  扉カギ
８０  精算機
【図１】
2014158533.tif 000003
【図２】
2014158533.tif 000004
【図３】
2014158533.tif 000005
【図４】
2014158533.tif 000006
【図５】
2014158533.tif 000007
【図６】
2014158533.tif 000008
【図７】
2014158533.tif 000009
【図８】
2014158533.tif 000010
【図９】
2014158533.tif 000011
【図１０】
2014158533.tif 000012
【図１１】
2014158533.tif 000013
【図１２】
2014158533.tif 000014
【図１３】
2014158533.tif 000015
【図１４】
2014158533.tif 000016
【図１５】
2014158533.tif 000017
【図１６】
2014158533.tif 000018
【図１７】
2014158533.tif 000019
【図１８】
2014158533.tif 000020